(57)【要約】      （修正有）【課題】２Ｐコンセントに挿入しやすい３極差込プラグを提供する。【解決手段】差込プラグ１においてアース端子３は、基端部３１の支点を中心にして起立位置と収納位置３ｂとに回動可能に設けられている。ホルダ２には、アース端子が収納位置にある際に、アース端子と係合してアース端子を収納位置に保持するロック装置４が設けられている。ロック装置は、ロック解除片４１がホルダの前面２１から前進したロック位置４ａと、ロック解除片がロック位置よりも後退した解除位置との間に移動可能に設けられている。ロック装置は、ロック位置に向けて第二付勢手段１２により付勢されている。アース端子が収納位置にあるとき、ロック装置は、ロック位置にある場合には、アース端子を収納位置に保持し、解除位置にある場合には、アース端子との係合状態を解除するよう構成されている。【選択図】図８
0003223031.tif 000002
【実用新案登録請求の範囲】
【請求項１】
ホルダと、前記ホルダの前面から突出するよう配設された一対の電源端子及び１つのアース端子と、を備える差込プラグであって、
前記アース端子は、その基端部の支点を中心にして、前記ホルダの前面から前方に突出した起立位置と、前記ホルダの前記前面に設けられた収納凹部に収納される収納位置との間において回動可能に設けられているとともに、前記起立位置に向けて第一付勢手段により付勢されており、
前記ホルダには、前記アース端子が前記収納位置にある際に、前記アース端子と係合して前記アース端子を前記収納位置に保持するロック装置が設けられており、
前記ロック装置は、ロック解除片を有し、
前記ロック装置は、前記ロック解除片が前記前面から前進したロック位置と、前記ロック解除片が前記ロック位置よりも後退した解除位置との間に移動可能に設けられているとともに、前記ロック位置に向けて第二付勢手段により付勢されており、
前記アース端子が前記収納位置にあるときにおいて、前記ロック装置は、前記ロック位置にある場合には、前記アース端子を前記収納位置に保持し、前記解除位置にある場合には、前記アース端子との係合状態を解除するよう構成されている、差込プラグ。
【請求項２】
前記ロック装置は、前記ロック解除片と一体的に構成されるとともに前記アース端子の基端部の後方に配された係合部を有し、
前記アース端子が前記収納位置にあるときにおいて、前記係合部は、前記ロック装置が前記ロック位置にある場合には、前記第二付勢手段の付勢力によって前記アース端子の前記基端部に押し付けられて前記基端部に係合し、前記ロック装置が前記解除位置にある場合には、前記基端部よりも後方に離れ、前記基端部との係合が解除されるよう構成されている、請求項１に記載の差込プラグ。
【請求項３】
前記ホルダは、前記収納凹部の後方に形成された表示部配置空間と、前記表示部配置空間と前記収納凹部とを仕切る仕切壁と、前記仕切壁を連通するよう形成された貫通孔と、を有し、
前記表示部配置空間には、前記貫通孔に挿入される第一部位と、前記第一部位よりも外周側に突出し、前記仕切壁と前後方向に対向する第二部位とを備える状態表示部が配されており、
前記状態表示部は、前記第二部位が前記仕切壁に当接して前記第一部位が前記貫通孔から前記収納凹部内に突出する前方位置と、前記前方位置よりも後退した後方位置との間を移動可能に構成されているとともに、前記前方位置に向けて第三付勢手段により付勢されており、
前記状態表示部は、前記アース端子が前記起立位置にあるときは、前記第三付勢手段の付勢力によって前記前方位置に配され、前記アース端子が前記収納位置にあるときは、前記アース端子によって後方に押し込まれて前記後方位置に配されるよう構成されており、
前記ホルダの上部には、前記ホルダの上方から前記状態表示部の上面を視認できるようにするための窓部が、前記表示部配置空間における前後方向の一部の領域に形成されており、
前記状態表示部の前記上面における、前記前方位置の前記状態表示部の前記窓部と上下方向に重なる部位と、前記後方位置の前記状態表示部の前記窓部と上下方向に重なる部位とは、互いに外観が異なり、前記窓部から前記状態表示部を視認することによって、前記アース端子が前記起立位置にあるか、前記収納位置にあるかを判別できるよう構成されている、請求項１又は２に記載の差込プラグ。
【考案の詳細な説明】
【技術分野】
【０００１】
本考案は、差込プラグに関する。
【背景技術】
【０００２】
差込プラグは、電気機器から延びる電源コードの先端部に設けられており、電気機器は、差込プラグをコンセントに差し込んで使用される。差込プラグとしては、ホルダの前面から突出する一対の電源端子刃及びアース端子ピンを備えた３極の差込プラグがある。３極の差込プラグは、接地極を有する３極のコンセント（以後、「３Ｐコンセント」という。）に差し込んで用いられる。
【０００３】
また、特許文献１には、３極の差込プラグとして、アース端子ピンをその基端部を支点に回動させることでホルダ前面の収納凹部に収納することができる差込プラグが開示されている。当該差込プラグは、アース端子ピンを収納凹部に収納することにより、接地極を有さない２極のコンセント（以後、「２Ｐコンセント」という。）に対しても挿入できるようになっている。
【０００４】
さらに、特許文献１に記載の差込プラグは、２Ｐコンセントから引き抜いたとき、アース端子ピンの基端部に設けられたばねによって、自動的に回動して３極の状態に戻るよう構成されている。これにより、例えば、差込プラグを２Ｐコンセントに差し込んで使用した後に、３Ｐコンセントに差し込んで使用する場合に、誤って差込プラグを２極の状態のままで差し込んでしまい、差込プラグを備えた電気機器の接地が取れなくなることを防止することができる。
【０００５】
ここで、特許文献１に記載の差込プラグを２Ｐコンセントに差し込むに当たっては、まず、差込プラグ全体を斜めに傾けてアース端子ピンを２Ｐコンセントの前壁に当接させる。そして、この状態から差込プラグを２Ｐコンセント側に押し込み、アース端子ピンを、コンセントの壁面に摺動させながら倒しつつ、差込プラグを２Ｐコンセントに差し込む。これにより、差込プラグが２Ｐコンセントに完全に差し込まれた状態においては、アース端子ピンは収納凹部内に収納され、差込プラグを２極の状態で使用することができる。
【先行技術文献】
【特許文献】
【０００６】
【特許文献１】実公平６−３８３８０号公報
【考案の概要】
【考案が解決しようとする課題】
【０００７】
しかしながら、特許文献１に記載の差込プラグにおいては、２Ｐコンセントに差し込む際、プラグ全体を傾けつつ挿入する必要があり、２Ｐコンセントに対する挿入性を向上させる観点から改善の余地がある。
【０００８】
本考案は、かかる課題に鑑みてなされたものであり、２Ｐコンセントに挿入しやすい差込プラグを提供しようとするものである。
【課題を解決するための手段】
【０００９】
本考案の一態様は、ホルダと、前記ホルダの前面から突出するよう配設された一対の電源端子及び１つのアース端子と、を備える差込プラグであって、
前記アース端子は、その基端部の支点を中心にして、前記ホルダの前面から前方に突出した起立位置と、前記ホルダの前記前面に設けられた収納凹部に収納される収納位置との間において回動可能に設けられているとともに、前記起立位置に向けて第一付勢手段により付勢されており、
前記ホルダには、前記アース端子が前記収納位置にある際に、前記アース端子と係合して前記アース端子を前記収納位置に保持するロック装置が設けられており、
前記ロック装置は、ロック解除片を有し、
前記ロック装置は、前記ロック解除片が前記前面から前進したロック位置と、前記ロック解除片が前記ロック位置よりも後退した解除位置との間に移動可能に設けられているとともに、前記ロック位置に向けて第二付勢手段により付勢されており、
前記アース端子が前記収納位置にあるときにおいて、前記ロック装置は、前記ロック位置にある場合には、前記アース端子を前記収納位置に保持し、前記解除位置にある場合には、前記アース端子との係合状態を解除するよう構成されている、差込プラグにある。
【考案の効果】
【００１０】
前記態様の差込プラグにおいて、ホルダには、アース端子が収納位置にある際に、アース端子と係合してアース端子を収納位置に保持するロック装置が設けられている。それゆえ、差込プラグを２Ｐコンセントに差し込む際には、予めロック装置によってアース端子を収納位置に保持し、かつ、予め差込プラグが２極の状態であること確認した上で差込プラグを２Ｐコンセントに差し込むことができる。これに伴い、例えば差込プラグを傾けつつ２Ｐコンセントに差し込まなくてもよく、２Ｐコンセントに対する差込プラグの差込作業を容易にすることができる。
【００１１】
また、ロック装置は、ロック解除片を有する。ロック装置は、ロック解除片がホルダの前面から前進したロック位置と、ロック解除片がロック位置よりも後退した解除位置との間に移動可能に設けられているとともに、ロック位置に向けて第二付勢手段により付勢されている。アース端子が収納位置にあるときにおいて、ロック装置は、ロック位置にある場合には、アース端子を収納位置に保持し、解除位置にある場合には、アース端子との係合状態を解除するよう構成されている。
【００１２】
それゆえ、ロック装置によってアース端子を収納位置に保持した状態において差込プラグを２Ｐコンセントに差し込んだとき、ホルダの前面から突出するロック位置のロック解除片が２Ｐコンセントの壁面によって後方に押し込まれることでロック装置がロック位置から解除位置に移動する。そのため、ロック装置によってアース端子が収納位置に保持された状態の差込プラグは、２Ｐコンセントに差し込んだ後においてはロック装置とアース端子との係合状態が解除される。
【００１３】
これにより、差込プラグを、２Ｐコンセントに差し込んで使用した後、２Ｐコンセントから引き抜いたとき、アース端子は、第一付勢手段の付勢力によって自動的に起立位置に復帰する。すなわち、差込プラグを２Ｐコンセントから引き抜いた状態においては、自動的に３極の状態となる。そのため、例えば、差込プラグを２Ｐコンセントに差し込んで使用した後に３Ｐコンセントに差し込んで使用しようとした場合に、誤って差込プラグを２極の状態のままで３Ｐコンセントに差し込んでしまうことを防止することができる。
【００１４】
以上のごとく、前記態様によれば、２Ｐコンセントに挿入しやすい差込プラグを提供することできる。
【図面の簡単な説明】
【００１５】
【図１】実施例１における、差込プラグ、電源コード及び付属アース部材の側面図。
【図２】実施例１における、差込プラグの側面図。
【図３】実施例１における、差込プラグの平面図。
【図４】実施例１における、差込プラグの正面図。
【図５】図３の、Ｖ−Ｖ線矢視断面図。
【図６】図４の、VI−VI線矢視断面図。
【図７】図４の、VII−VII線矢視断面図。
【図８】実施例１における、アース端子が収納位置にある時の図５に対応する断面図。
【図９】実施例１における、アース端子の側面図。
【図１０】実施例１における、アース端子の平面図。
【図１１】実施例１における、取付金具及び回転軸の平面図。
【図１２】図１１の、XII−XII線矢視断面図。
【図１３】実施例１における、ロック装置の平面図。
【図１４】実施例１における、ロック装置の側面図。
【図１５】実施例１における、起立位置のアース端子及びロック位置のロック装置の側面図。
【図１６】実施例１における、収納位置のアース端子及びロック位置のロック装置の側面図。
【図１７】実施例１における、アース端子を収納位置とした差込プラグを２Ｐプラグに差し込み、ロック解除片が２Ｐコンセントの壁面に当接したときの様子を示す断面図。
【図１８】実施例１における、完全差込状態の差込プラグの断面図。
【図１９】実施例１における、２Ｐコンセントから引き抜いた後の差込プラグの断面図。
【考案を実施するための形態】
【００１６】
差込プラグは、電源コードの先端に取り付けられて用いられる。差込プラグは、電源コードとは別にプラグ単体で流通する、交換用のプラグとして用いることができる。なお、これに限らず、差込プラグは、予め電源コードの先端に固定された状態で流通することもできる。
【００１７】
また、前記ロック装置は、前記ロック解除片と一体的に構成されるとともに前記アース端子の基端部の後方に配された係合部を有し、
前記アース端子が前記収納位置にあるときにおいて、前記係合部は、前記ロック装置が前記ロック位置にある場合には、前記第二付勢手段の付勢力によって前記アース端子の前記基端部に押し付けられて前記基端部に係合し、前記ロック装置が前記解除位置にある場合には、前記基端部よりも後方に離れ、前記基端部との係合が解除されるよう構成されていることが好ましい。
【００１８】
この場合、係合部の移動方向を、ロック解除片の移動方向と同じ前後方向にすることができ、ロック装置におけるアース端子との係合、係合解除機構を簡易に形成しやすい。
【００１９】
また、前記ホルダは、前記収納凹部の後方に形成された表示部配置空間と、前記表示部配置空間と前記収納凹部とを仕切る仕切壁と、前記仕切壁を連通するよう形成された貫通孔と、を有し、
前記表示部配置空間には、前記貫通孔に挿入される第一部位と、前記第一部位よりも外周側に突出し、前記仕切壁と前後方向に対向する第二部位とを備える状態表示部が配されており、
前記状態表示部は、前記第二部位が前記仕切壁に当接して前記第一部位が前記貫通孔から前記収納凹部内に突出する前方位置と、前記前方位置よりも後退した後方位置との間を移動可能に構成されているとともに、前記前方位置に向けて第三付勢手段により付勢されており、
前記状態表示部は、前記アース端子が前記起立位置にあるときは、前記第三付勢手段の付勢力によって前記前方位置に配され、前記アース端子が前記収納位置にあるときは、前記アース端子によって後方に押し込まれて前記後方位置に配されるよう構成されており、
前記ホルダの上部には、前記ホルダの上方から前記状態表示部の上面を視認できるようにするための窓部が、前記表示部配置空間における前後方向の一部の領域に形成されており、
前記状態表示部の前記上面における、前記前方位置の前記状態表示部の前記窓部と上下方向に重なる部位と、前記後方位置の前記状態表示部の前記窓部と上下方向に重なる部位とは、互いに外観が異なり、前記窓部から前記状態表示部を視認することによって、前記アース端子が前記起立位置にあるか、前記収納位置にあるかを判別できるよう構成されていることが好ましい。
【００２０】
この場合、差込プラグをコンセントに差し込んだ状態においても、上側から、窓部を通して見える状態表示部の上面を確認することにより、アース端子が起立位置にあるか収納位置にあるかを一目で把握することができる。
【実施例】
【００２１】
（実施例１）
差込プラグの実施例につき、図１〜図１９を用いて説明する。
本例の差込プラグ１は、図１〜図３に示すごとく、ホルダ２と、ホルダ２の前面２１から突出するよう配設された一対の電源端子１０及び１つのアース端子３と、を備える。
【００２２】
図５、図８に示すごとく、アース端子３は、その基端部３１の支点を中心にして、起立位置３ａ（図５参照）と収納位置３ｂ（図８参照）との間において回動可能に設けられている。図５に示すごとく、起立位置３ａは、アース端子３がホルダ２の前面２１から前方に突出するアース端子３の位置である。図８に示すごとく、収納位置３ｂは、アース端子３がホルダ２の前面２１に設けられた収納凹部２２に収納されるアース端子３の収納位置３ｂである。また、アース端子３は、起立位置３ａに向けて第一付勢手段１１により付勢されている。
【００２３】
図５、図８に示すごとく、ホルダ２には、アース端子３が収納位置３ｂにある際に、アース端子３と係合してアース端子３を収納位置３ｂに保持するロック装置４が設けられている。ロック装置４は、ロック解除片４１を有する。ロック装置４は、ロック解除片４１が前面２１から前進したロック位置４ａ（図１７、図１９参照）と、ロック解除片４１がロック位置４ａよりも後退した解除位置４ｂ（図１８参照）との間に移動可能に設けられている。また、図５、図７、図８に示すごとく、ロック装置４は、ロック位置４ａに向けて第二付勢手段１２により付勢されている。
【００２４】
図１７に示すごとく、アース端子３が収納位置３ｂにあるときにおいて、ロック装置４は、ロック位置４ａにある場合には、アース端子３を収納位置３ｂに保持するよう構成されている。また、図１８に示すごとく、アース端子３が収納位置３ｂにあるときにおいて、ロック装置４は、解除位置４ｂにある場合には、アース端子３との係合状態を解除するよう構成されている。
以後、本例につき詳説する。
【００２５】
本例において、一対の電源端子１０及び起立位置３ａのアース端子３の延在方向を前後方向Ｘという。また、前後方向Ｘの一方であって、ホルダ２から一対の電源端子１０及び起立位置３ａのアース端子３が突出する側を前方といい、その反対側を後方という。また、前後方向Ｘに直交する方向であって、一対の電源端子１０が並ぶ方向を、左右方向Ｙという。また、前後方向Ｘと左右方向Ｙとの双方に直交する方向を上下方向Ｚという。また、上下方向Ｚの一方側であって、起立位置３ａのアース端子３に対する一対の電源端子１０側を上側といい、その反対側を下側という。
【００２６】
図５〜図８に示すごとく、ホルダ２は、一対の電源端子１０と１本のアース端子３とを保持する電気的絶縁性を有するホルダ中子部２０１と、ホルダ中子部２０１を外周側から覆う電気的絶縁性を有するホルダカバー部２０２とを有する。
【００２７】
ホルダカバー部２０２は、その成形型にホルダ中子部２０１等を配置したインサート成形により成形されている。なお、これに限られず、ホルダカバー部２０２は、ホルダ中子部２０１とは別個に製造し、ホルダカバー部２０２の前方の開口からホルダ中子部２０１を挿入する構成を採用することもできる。ホルダカバー部２０２は、ホルダ中子部２０１よりも柔らかく弾性を有する材料からなる。
【００２８】
ホルダ中子部２０１は、その前面をホルダカバー部２０２の前面と面一にするよう配されている。そして、ホルダ中子部２０１の前面及びホルダカバー部２０２の前面が、ホルダ２の前面２１を構成している。ホルダ中子部２０１の左右方向Ｙの両側部を前後方向Ｘに貫通するよう、一対の電源端子１０が配されている。図示は省略するが、一対の電源端子１０は、それぞれ、差込プラグ１が取り付けられる電源コード１０１のライブ電線及びニュートラル電線に電気的に接続される。そして、図２、図４に示すごとく、ホルダ２の前面２１における左右方向Ｙの一対の電源端子１０の間に、収納凹部２２が形成されている。
【００２９】
図５、図６に示すごとく、収納凹部２２は、ホルダ２の前面２１よりも後方に凹むよう形成されている。図８に示すごとく、収納凹部２２の前後方向Ｘの深さは、収納位置３ｂのアース端子３の全体が収納凹部２２に収納されるよう、アース端子３の直径よりも大きくなるよう形成されている。図４、図６に示すごとく、収納凹部２２は、一対の電源端子１０の間を通るよう、上下方向Ｚに長尺な溝状に形成されている。図４、図５、図８に示すごとく、収納凹部２２の下端部に、アース端子３が取り付けられている。
【００３０】
図９、図１０に示すごとく、アース端子３は、金属板を円筒状に形成するとともにその先端が丸く閉じられた円筒部３２を有する。図５に示すごとく、円筒部３２は、アース端子３が起立位置３ａにあるときにホルダ２の前面２１から突出する。起立位置３ａにおいて円筒部３２の先端は、一対の電源端子１０よりも前方に突出する。
【００３１】
図１０に示すごとく、アース端子３の円筒部３２の基端側に配された基端部３１は、左右方向Ｙに対向する一対の端子側板３１０を備える。図５、図７、図８に示すごとく、アース端子３は、端子側板３１０において、収納凹部２２の下端部に配された取付金具５に、回転軸１４を介して取り付けられている。
【００３２】
図１１、図１２に示すごとく、取付金具５は、金属板を折り曲げて形成されている。取付金具５は、一対の取付側板５１と取付下板５２と取付後板５３とを備える。一対の取付側板５１は、互いに左右方向Ｙに対向し、アース端子３の端子側板３１０における左右方向Ｙの両外側に配されている。図５に示すごとく、取付下板５２は、アース端子３の基端部３１の下側に配されるとともに、図４に示すごとく、一対の取付側板５１の下端同士を連結する。図５に示すごとく、取付後板５３は、アース端子３の基端部３１の後方に配されている。
【００３３】
図７に示すごとく、取付金具５の一対の取付側板５１、及びアース端子３の一対の端子側板３１０を左右方向Ｙに貫通するよう、回転軸１４が配されている。これにより、アース端子３は、回転軸１４を支点にして、図５に示す起立位置３ａと、図８に示す収納位置３ｂとの間を回動できるよう構成されている。
【００３４】
また、図７に示すごとく、アース端子３の一対の端子側板３１０の間に、回転軸１４を囲むよう第一付勢手段１１としてのねじりコイルバネが配されている。すなわち、回転軸１４は、ねじりコイルバネ、アース端子３の一対の端子側板３１０、及び取付金具５の一対の取付側板５１を貫通するよう配されている。図５に示すごとく、第一付勢手段１１としてのねじりコイルバネは、その一端がアース端子３の円筒部３２内に挿入されており、その他端が収納凹部２２の底に当接している。そして、第一付勢手段１１は、アース端子３を、その回動方向における起立位置３ａに向かう向き（図１８の矢印の向き）に付勢している。
【００３５】
図５、図７、図８に示すごとく、取付金具５には、ロック装置４が取り付けられている。図１３〜図１６に示すごとく、ロック装置４は、一枚の金属板を折り曲げて形成されており、アース端子３の基端部３１の後方に配された係合部４２と、係合部４２から前方に延設されたロック解除片４１とを備える。
【００３６】
係合部４２は、前後方向Ｘに直交する板状に形成されている。図５に示すごとく、係合部４２は、前後方向Ｘにおける取付金具５の取付後板５３とアース端子３の基端部３１との間に配されている。図１３〜図１６に示すごとく、係合部４２の上下方向Ｚの中央部には、前方に向かって円弧上に湾曲するよう折り曲げられた係合凸部４２１が形成されている。図１５、図１６に示すごとく、係合凸部４２１は、アース端子３の一対の端子側板３１０に形成された第一係合凹部３１１と、第二係合凹部３１２とに挿入できるよう構成されている。
【００３７】
図５、図１５に示すごとく、第一係合凹部３１１は、アース端子３が起立位置３ａにあるときに係合凸部４２１と前後方向Ｘに対向する部位に形成されている。また、図８、図１６に示すごとく、第二係合凹部３１２は、アース端子３が収納位置３ｂにあるときに係合凸部４２１と前後方向Ｘに対向する部位に形成されている。第一係合凹部３１１及び第二係合凹部３１２のそれぞれは、周囲よりも内周側に凹むよう形成されているとともに、係合凸部４２１が挿入できるよう係合凸部４２１以下の曲率で形成されている。図１３に示すごとく、左右方向Ｙにおける係合部４２の一端から前方にロック解除片４１が延設されている。
【００３８】
図１３、図１４に示すごとく、ロック解除片４１は、係合部４２から前方に向かって延設された第一解除片部４１１と、第一解除片部４１１の前端から左右方向Ｙの前記一方側に向かって折り曲げられた第二解除片部４１２とを有する。
【００３９】
図７に示すごとく、第一解除片部４１１は、一方側の取付側板５１の内面に沿うよう形成されている。第一解除片部４１１は、取付側板５１とアース端子３との間に配されている。第一解除片部４１１には、回転軸１４を挿通させるための、前後方向Ｘに長尺な長孔４１１ａが形成されている。長孔４１１ａは、第一解除片部４１１が回転軸１４に干渉することなく、後述するロック位置４ａと解除位置４ｂとの間を前後に移動できるよう構成されている。
【００４０】
図４に示すごとく、第一解除片部４１１が沿うよう形成された取付側板５１からは、第一解除片部４１１の上端縁に臨む規制片５１１が延設されている。規制片５１１は、取付下板５２との間で第一解除片部４１１を上下方向Ｚに挟んでおり、第一解除片部４１１の上下方向Ｚの位置決めをする役割を有する。
【００４１】
図１３に示すごとく、第一解除片部４１１の前端から左右方向Ｙの一方に延設するよう第二解除片部４１２が形成されている。図４に示すごとく、第二解除片部４１２は、横方向における取付側板５１の外側まで形成されており、前後方向Ｘに直交する板状に形成されている。第二解除片部４１２は、その上下方向Ｚの長さが、第一解除片部４１１の上下方向Ｚの長さよりも小さくなるよう形成されている。そして、図７に示すごとく、第一解除片部４１１が沿うよう形成された取付側板５１の前端には、解除位置４ｂのロック装置４の第二解除片部４１２を挿入するための切欠部５１２が形成されている。
【００４２】
図１７、図１８に示すごとく、ロック装置４は、互いに前後方向Ｘに異なるロック位置４ａと解除位置４ｂとの間で、前後方向Ｘにスライドできるよう構成されている。
【００４３】
ロック位置４ａは、図５に示すごとく、アース端子３が起立位置３ａにあるとき、ロック装置４の係合部４２の係合凸部４２１がアース端子３の第一係合凹部３１１に係合してアース端子３が起立位置３ａで保持され、アース端子３が収納位置３ｂにあるとき、係合凸部４２１がアース端子３の第二係合凹部３１２に係合してアース端子３が収納位置３ｂで保持される、ロック装置４の位置である。ロック装置４がロック位置４ａにある状態においては、第二解除片部４１２は、ホルダ２の前面２１よりも前方へ突出している。なお、例えば、起立位置３ａのアース端子３が、取付金具５の取付下板５２に当接することで、アース端子３が起立位置３ａで維持されるように構成すれば、第一係合凹部３１１は必ずしも必要ではない。
【００４４】
図１８に示すごとく、解除位置４ｂは、ロック解除片４１が後方に向かって押し込まれたときのロック装置４の位置である。解除位置４ｂにおいて、ロック解除片４１の第二解除片部４１２は、取付金具５の切欠部５１２内に挿入され、ロック装置４がホルダ２の前面２１から突出しないようになっている。ロック装置４が解除位置４ｂにある状態において、係合部４２は、アース端子３の基端部３１よりも後方に離れた位置に配される。それゆえ、ロック装置４が解除位置４ｂにある状態において、係合部４２とアース端子３の基端部３１とは係合しないよう構成されている。
【００４５】
また、図５に示すごとく、ロック装置４は、第二付勢手段１２によって前方に向かって付勢されている。第二付勢手段１２は、前後方向Ｘに伸縮可能なコイルスプリングによって構成されている。第二付勢手段１２は、ホルダ中子部２０１における取付後板５３の後方に形成されたバネ配置空間２０に配されているとともに、取付後板５３に設けられたバネ挿通孔２３を通って係合部４２の後面に当接している。
【００４６】
第二付勢手段１２は、係合部４２を前方に押し込み、係合凸部４２１と第一係合凹部３１１又は第二係合凹部３１２との係合状態を維持する役割を有する。そして、ロック解除片４１が、第二付勢手段１２の付勢力に抗して後方に押し込まれることにより、係合部４２が後方に変位し、係合凸部４２１と第一係合凹部３１１又は第二係合凹部３１２との係合状態が解除される。
【００４７】
また、図５に示すごとく、ホルダ２の上部には、差込プラグ１の外部にアース端子３が起立位置３ａにあるか収納位置３ｂにあるかを表示するための状態表示部６が配されている。状態表示部６は、ホルダ２の上部において収納凹部２２の後方に形成された表示部配置空間２４内に配されている。
【００４８】
状態表示部６は、ホルダ２における表示部配置空間２４と収納凹部２２とを仕切る仕切壁２５に形成された貫通孔２６に挿入可能な第一部位６１と、第一部位６１よりも外周側に突出し、仕切壁２５と前後方向Ｘに対向する第二部位６２とを備える。
【００４９】
第一部位６１は、第二部位６２から前方に向かうほど縮径する円錐台形状に形成されている。第一部位６１は、第二部位６２よりも小さい径を有し、少なくとも一部が仕切壁２５の貫通孔２６に挿入できるよう構成されている。
【００５０】
第二部位６２は、後方に開放する筒状に形成されており、その内側に第三付勢手段１３としてのコイルスプリングが配されている。第三付勢手段１３は、状態表示部６を前方に向かって付勢している。
【００５１】
表示部配置空間２４の後方は、ホルダ中子部２０１の本体部２０１ａとは別体に構成された透明部材２０１ｂによって閉塞されている。透明部材２０１ｂは、透明に形成されており、その前端の上端部がホルダカバー部２０２からホルダ２外部に露出する窓部２００になっている。透明部材２０１ｂは、ホルダ中子部２０１の本体部２０１ａに対してボルトによって締結されている。窓部２００は、ホルダ２の上方から状態表示部６を視認できるようにするためのものであり、表示部配置空間２４における前後方向Ｘの一部の領域に形成されている。
【００５２】
図５、図８に示すごとく、状態表示部６は、前方位置６ａと後方位置６ｂとの間を前後方向Ｘにスライドできるよう構成されている。図５に示すごとく、前方位置６ａは、状態表示部６が第三付勢手段１３によって前方に押し付けられて状態表示部６が仕切壁２５に当接し、第一部位６１が貫通孔２６から収納凹部２２内に突出する状態表示部６の位置である。図８に示すごとく、後方位置６ｂは、前方位置６ａよりも後退した状態表示部６の位置であり、収納位置３ｂのアース端子３によって第一部位６１が第三付勢手段１３の付勢力に抗して後方に押し込まれたときの状態表示部６の位置である。
【００５３】
状態表示部６の上面における、前方位置６ａの状態表示部６の窓部２００と上下方向Ｚに重なる部位と、後方位置６ｂの状態表示部６の窓部２００と上下方向Ｚに重なる部位とは、互いに外観が異なるよう構成されている。本例において、状態表示部６の上面における、前方位置６ａの状態表示部６の窓部２００と上下方向Ｚに重なる部位は、赤色に形成されており、状態表示部６の上面における、後方位置６ｂの状態表示部６の窓部２００と上下方向Ｚに重なる部位は、緑色に形成されている。本例において、状態表示部６は、全表面が緑色で構成された状態表示部６の本体部と、本体部に挿入されるとともに、全表面が赤色で構成された挿入部材６３とを備える。挿入部材６３は、状態表示部６が前方位置６ａにあるときは窓部２００の全体と上下方向Ｚに重ならない位置に配され、状態表示部６が後方位置６ｂにあるときは窓部２００の全体と上下方向Ｚに重なる位置に配される。
【００５４】
なお、状態表示部６の上面における、前方位置６ａの状態表示部６の窓部２００と上下方向Ｚに重なる部位と、後方位置６ｂの状態表示部６の窓部２００と上下方向Ｚに重なる部位とは、互いに外観が異なればよく、緑色、赤色に限られない。例えば、状態表示部６の上面における、前方位置６ａの状態表示部６の窓部２００と上下方向Ｚに重なる部位と、後方位置６ｂの状態表示部６の窓部２００と上下方向Ｚに重なる部位とは、互いに赤色、緑色以外の別の色にしたり、互いに文字、図形、模様、形状等が異なるよう構成したりしてもよい。
【００５５】
また、図５に示すごとく、取付金具５は、取付後板５３の上端から後方に、ホルダ中子部２０１から後方に突出する接地バスバ５４が延設されている。接地バスバ５４は、取付金具５を介してアース端子３と電気的に接続されている。そして、接地バスバ５４の後端は、付属アース部材１０２の端部と、電源コード１０１のアース線とに電気的に接続されている。
【００５６】
付属アース部材１０２は、ホルダカバー部２０２内において接地バスバ５４に接続されている。そして、付属アース部材１０２の接地バスバ５４と反対側の端部は、図１に示すごとく、ホルダカバー部２０２の外部に引き出されており、付属アース部材１０２を他の部材に電気的に接続するためのアースクリップ１０２ａが配されている。付属アース部材１０２は、例えば、接地が必要な電気機器に差込プラグ１を取り付けて使用する場合において、アース端子３を用いなくとも接地をとれるようにするためのものである。これにより、例えば接地極を有さない２Ｐコンセントを使用しても、付属アース部材１０２において接地を確保することができる。なお、例えば、ホルダ２に、接地バスバ５４の一部をホルダ２外部から見えるよう開放する開口穴を形成し、当該開口穴から付属アース部材１０２とは別の予備のアース線を、接地バスバ５４に接続できるよう構成してもよい。この場合は、付属アース部材１０２が切断等により使用不能になった場合であっても、予備のアース線を前記開口穴から接地バスバ５４に接続することで、当該アース線によってアースをとることが可能となる。当該アース線は、例えば脱着可能に接地バスバ５４に接続することが可能である。これにより、当該アース線が切断等により使用不能になった場合であっても、当該アース線を接地バスバ５４から取り外して更に別の予備のアース線を接地バスバ５４に取り付けることで、アースをとることが可能となる。
【００５７】
次に、特に図１７〜図１９を用いて、本例の差込プラグ１を、２Ｐコンセント１００に差し込む様子、及び、差し込んだ差込プラグ１を２Ｐコンセント１００から引き抜く様子の一例につき説明する。
【００５８】
図１７に示すごとく、差込プラグ１を２Ｐコンセント１００に差し込むに当たっては、まず、差込プラグ１の使用者の指等により、アース端子３を第一付勢手段１１の付勢力に抗して倒し、差込プラグ１を収納位置３ｂにする。これにより、ロック装置４の係合部４２が第二付勢手段１２の付勢力によりアース端子３の第二係合凹部３１２に挿入係合し、アース端子３が収納位置３ｂで保持される。さらに、アース端子３が状態表示部６を後方位置６ｂまで押し込み、窓部２００からは赤色の状態表示部６の挿入部材６３が視認できるようになる。
【００５９】
そして、この状態の差込プラグ１を、２Ｐコンセント１００に差し込む。これにより、差込プラグ１を２Ｐコンセント１００に差し込む際においては、特殊な挿入の仕方をする必要なく、容易に差込プラグ１を２Ｐコンセント１００に差し込むことができる。
【００６０】
ここで、差込プラグ１を２Ｐコンセント１００に差し込む過程において、ロック解除片４１の第二解除片部４１２が２Ｐコンセント１００の壁面に当接する（図１７の状態）。この状態から、図１８に示すごとく、更に差込プラグ１を２Ｐコンセント１００に差し込むことにより、ロック解除片４１が２Ｐコンセント１００の壁面によって後方に押し込まれ、ホルダ２の前面２１が２Ｐコンセントの壁面に当たるまで差込プラグ１が２Ｐコンセントに差し込まれた完全差込状態（図１８の状態）においては、ロック装置４は解除位置４ｂに配される。そのため、完全差込状態においては、アース端子３は、収納凹部２２に収納されているものの、ロック装置４の係合部４２との係合は解除されている。それゆえ、完全差込状態においては、アース端子３は、第一付勢手段１１からの付勢力により、２Ｐコンセントの壁面に図１８の矢印の方向に押し付けられた状態で収納凹部２２内に維持される。
【００６１】
次に、２Ｐコンセント１００から差込プラグ１を引き抜くときの様子につき説明する。
図１８、図１９に示すごとく、２Ｐコンセント１００から差込プラグ１を引き抜くと、アース端子３が、第一付勢手段１１の付勢力により、起立位置３ａに自動的に戻る。また、これと同時に、完全差込状態においてアース端子３によって後方位置６ｂまで押し込まれていた状態表示部６は、アース端子３が起立位置３ａに戻ることによってアース端子３からの押圧力がなくなり、第三付勢手段１３により前方位置６ａに移動する。これにより、２Ｐコンセント１００から差込プラグ１を引き抜いた状態においては、窓部２００からは緑色の状態表示部６の本体部が視認できるようになる。このように、窓部２００から状態表示部６を視認することによって、アース端子３が起立位置３ａにあるか、収納位置３ｂにあるかを判別できるようになっている。
【００６２】
また、完全差込状態において２Ｐコンセント１００の壁面によって解除位置４ｂまで押し込まれていたロック解除片４１は、２Ｐコンセント１００から差込プラグ１を引き抜くことにより、２Ｐコンセント１００の壁面からの押圧力がなくなり、第二付勢手段１２により、ロック位置４ａに移動する。これにより、２Ｐコンセント１００から差込プラグ１を引き抜いた状態においては、起立位置３ａのアース端子３の基端部３１がロック装置４の係合部４２によって係合され、アース端子３が起立位置３ａで維持される。
【００６３】
次に、本例の作用効果につき説明する。
本例の差込プラグ１において、ホルダ２には、アース端子３が収納位置３ｂにある際に、アース端子３と係合してアース端子３を収納位置３ｂに保持するロック装置４が設けられている。それゆえ、差込プラグ１を２Ｐコンセント１００に差し込む際には、予めロック装置４によってアース端子３を収納位置３ｂに保持し、かつ、予め差込プラグ１が２極の状態であることを確認した上で差込プラグ１を２Ｐコンセント１００に差し込むことができる。これに伴い、例えば差込プラグ１を傾けつつ２Ｐコンセント１００に差し込まなくてもよく、２Ｐコンセント１００に対する差込プラグ１の差込作業を容易にすることができる。
【００６４】
また、ロック装置４は、ロック解除片４１を有する。ロック装置４は、ロック解除片４１がホルダ２の前面２１から前進したロック位置４ａと、ロック解除片４１がロック位置４ａよりも後退した解除位置４ｂとの間に移動可能に設けられているとともに、ロック位置４ａに向けて第二付勢手段１２により付勢されている。アース端子３が収納位置３ｂにあるときにおいて、ロック装置４は、ロック位置４ａにある場合には、アース端子３を収納位置３ｂに保持し、解除位置４ｂにある場合には、アース端子３との係合状態を解除するよう構成されている。
【００６５】
それゆえ、ロック装置４によってアース端子３を収納位置３ｂに保持した状態において差込プラグ１を２Ｐコンセント１００に差し込んだとき、ホルダ２の前面２１から突出するロック位置４ａのロック解除片４１が２Ｐコンセントの壁面によって後方に押し込まれることでロック装置４がロック位置４ａから解除位置４ｂに移動する。そのため、ロック装置４によってアース端子３が収納位置３ｂに保持された状態の差込プラグ１は、２Ｐコンセント１００に差し込んだ後においてはロック装置４とアース端子３との係合状態が解除される。
【００６６】
これにより、差込プラグ１を、２Ｐコンセント１００に差し込んで使用した後、２Ｐコンセント１００から引き抜いたとき、アース端子３は、第一付勢手段１１の付勢力によって自動的に起立位置３ａに復帰する。すなわち、差込プラグ１を２Ｐコンセント１００から引き抜いた状態においては、自動的に３極の状態となる。そのため、例えば、差込プラグ１を２Ｐコンセント１００に差し込んで使用した後に３Ｐコンセントに差し込んで使用しようとした場合に、誤って差込プラグ１を２極の状態のままで３Ｐコンセントに差し込んでしまうことを防止することができる。
【００６７】
また、ロック装置４は、ロック解除片４１と一体的に構成されるとともにアース端子３の基端部３１の後方に配された係合部４２を有する。そして、アース端子３が収納位置３ｂにあるときにおいて、係合部４２は、ロック装置４がロック位置４ａにある場合には、第二付勢手段１２の付勢力によってアース端子３の基端部３１に押し付けられて基端部３１に係合し、ロック装置４が解除位置４ｂにある場合には、基端部３１よりも後方に離れ、基端部３１との係合が解除されるよう構成されている。それゆえ、係合部４２の移動方向を、ロック解除片４１の移動方向と同じ前後方向Ｘにすることができ、ロック装置４におけるアース端子３との係合、係合解除機構を簡易に形成しやすい。
【００６８】
また、状態表示部６の上面における、前方位置６ａの状態表示部６の窓部２００と上下方向Ｚに重なる部位と、後方位置６ｂの状態表示部６の窓部２００と上下方向Ｚに重なる部位とは、互いに外観が異なり、窓部２００から状態表示部６を視認することによって、アース端子３が起立位置３ａにあるか、収納位置３ｂにあるかを判別できるよう構成されている。そのため、差込プラグ１をコンセントに差し込んだ状態においても、上側から、窓部２００を通して見える状態表示部６の上面を確認することにより、アース端子３が起立位置３ａにあるか収納位置３ｂにあるかを一目で把握することができる。
【００６９】
以上のごとく、本例によれば、２Ｐコンセントに挿入しやすい差込プラグを提供することできる。
【００７０】
本考案は、前記実施例に限定されるものではなく、その要旨を逸脱しない範囲において種々の実施例に適用することが可能である。例えば、前記実施例において、ロック装置とアース端子の基端部との係合機構は、ロック装置に凸部、アース端子の基端部に凹部を設けることで実現したが、これに限られず、ロック装置とアース端子の基端部とが係合することができれば種々の係合機構を採用することができる。例えば、ロック装置に凹部、アース端子の基端部に凸部を設けることで、ロック装置とアース端子の基端部とを係合できるよう構成してもよい。
【符号の説明】
【００７１】
１  差込プラグ
２  ホルダ
３  アース端子
３ａ  起立位置
３ｂ  収納位置
４  ロック装置
４ａ  ロック位置
４ｂ  解除位置
５  取付金具
６  状態表示部
６ａ  前方位置
６ｂ  後方位置
１０  電源端子
１１  第一付勢手段
１２  第二付勢手段
１３  第三付勢手段
１４  回転軸
２１  前面
２２  収納凹部
２４  表示部配置空間
２５  仕切壁
２６  貫通孔
３１  基端部
４１  ロック解除片
４２  係合部
６１  第一部位
６２  第二部位
２００  窓部
Ｘ  前後方向
Ｚ  上下方向
【図１】
0003223031.tif 000003
【図２】
0003223031.tif 000004
【図３】
0003223031.tif 000005
【図４】
0003223031.tif 000006
【図５】
0003223031.tif 000007
【図６】
0003223031.tif 000008
【図７】
0003223031.tif 000009
【図８】
0003223031.tif 000010
【図９】
0003223031.tif 000011
【図１０】
0003223031.tif 000012
【図１１】
0003223031.tif 000013
【図１２】
0003223031.tif 000014
【図１３】
0003223031.tif 000015
【図１４】
0003223031.tif 000016
【図１５】
0003223031.tif 000017
【図１６】
0003223031.tif 000018
【図１７】
0003223031.tif 000019
【図１８】
0003223031.tif 000020
【図１９】
0003223031.tif 000021